(57)【要約】【課題】試運転動作を極めて容易に行えるヒートポンプ式給湯機に関するものである。【解決手段】試運転動作は、手動による加熱循環回路１９のエア抜き処置の後に、循環ポンプ２０を駆動する加熱循環回路１９のエア抜き運転と、このエア抜き運転後の沸き上げ試運転とを行うもので、制御装置２５は、エア抜き処置を行ったことを示すエア抜き処置フラグと、エア抜き運転を行ったことを示すエア抜き運転フラグと、沸き上げ試運転を行ったことを示す沸き上げ試運転フラグとを記憶すると共に、フラグが記憶されている場合はその試運転動作を省略するようにし、制御装置２５は、エア抜き処置フラグが記憶されていない場合は、リモコン２６の表示部３３にエア抜き処置を実施することを促すと共に実施したことを確認する表示を行うようにした。【選択図】  図２
2020085368.tif 000002
【特許請求の範囲】
【請求項１】
圧縮機、水冷媒交換器、膨張弁、及び室外ファンを有する空気熱交換器を冷媒配管で環状に接続したヒートポンプユニットと、前記水冷媒熱交換器とは循環ポンプを有した加熱循環回路で連通し、湯水を循環させて高温に沸き上げた湯水を貯湯する貯湯タンクと、電源投入後に行う試運転動作を制御する制御装置と、前記制御装置に通信可能に接続され各種情報を表示する表示部を有したリモコンとを備えたヒートポンプ式給湯機に於いて、
前記試運転動作は、手動による前記加熱循環回路のエア抜き処置の後に、前記循環ポンプを駆動する前記加熱循環回路のエア抜き運転と、このエア抜き運転後の沸き上げ試運転とを行うもので、
前記制御装置は、前記エア抜き処置を行ったことを示すエア抜き処置フラグと、前記エア抜き運転を行ったことを示すエア抜き運転フラグと、前記沸き上げ試運転を行ったことを示す沸き上げ試運転フラグとを記憶すると共に、前記フラグが記憶されている場合はその試運転動作を省略するようにし、
前記制御装置は、前記エア抜き処置フラグが記憶されていない場合は、前記リモコンの前記表示部にエア抜き処置を実施することを促すと共に実施したことを確認する表示を行うようにしたことを特徴とするヒートポンプ式給湯機。
【請求項２】
前記エア抜き処置を実施することを促すと共に実施したことを確認する表示中に、前記リモコンへの操作入力で前記エア抜き処置が確認されると、前記エア抜き処置フラグを記憶するようにしたことを特徴とする請求項１記載の貯湯式給湯機。
【請求項３】
前記制御装置は、前記加熱循環回路内の水を抜く動作が行われると、前記エア抜き処置フラグの記憶をリセットするようにしたことを特徴とする請求項１記載のヒートポンプ式給湯機。
【発明の詳細な説明】
【技術分野】
【０００１】
この発明は、ヒートポンプ回路を利用して、給湯を行うヒートポンプ式給湯機に関するものである。
【背景技術】
【０００２】
従来よりこの種のヒートポンプ式給湯機では、深夜電力を利用して、高温高圧の冷媒と低温水とを効率よく熱交換し、貯湯タンク内に翌日使用する湯水を高温水として貯湯して、順次給水とミキシングしながら、設定温度の給湯を行い経済的な給湯を実現するものであった。（例えば、特許文献１）
【先行技術文献】
【特許文献】
【０００３】
【特許文献１】特許第３０５５４０６号公報
【発明の概要】
【発明が解決しようとする課題】
【０００４】
ところで、この従来のものでは、ヒートポンプ側のエア抜き栓を施工業者が手動で開けて、加熱循環回路内のエア抜きを行っていたが、施工業者が失念してエア抜きの処置をしない場合や、エア抜きが不十分であった場合、循環ポンプのエア噛みが発生し循環不良となりヒートポンプで加熱した湯を貯湯タンクに供給できないという課題があった。
【課題を解決するための手段】
【０００５】
本発明によれば、圧縮機、水冷媒交換器、膨張弁、及び室外ファンを有する空気熱交換器を冷媒配管で環状に接続したヒートポンプユニットと、前記水冷媒熱交換器とは循環ポンプを有した加熱循環回路で連通し、湯水を循環させて高温に沸き上げた湯水を貯湯する貯湯タンクと、電源投入後に行う試運転動作を制御する制御装置と、前記制御装置に通信可能に接続され各種情報を表示する表示部を有したリモコンとを備えたヒートポンプ式給湯機に於いて、前記試運転動作は、手動による加熱循環回路のエア抜き処置の後に、前記循環ポンプを駆動する前記加熱循環回路のエア抜き運転と、このエア抜き運転後の沸き上げ試運転とを行うもので、前記制御装置は、前記エア抜き処置を行ったことを示すエア抜き処置フラグと、前記エア抜き運転を行ったことを示すエア抜き運転フラグと、前記沸き上げ試運転を行ったことを示す沸き上げ試運転フラグとを記憶すると共に、前記フラグが記憶されている場合はその試運転動作を省略するようにし、前記制御装置は、前記エア抜き処置フラグが記憶されていない場合は、前記リモコンの前記表示部にエア抜き処置を実施することを促す表示を行うと共に実施したことを確認する表示を行うようにした。
【０００６】
また、前記エア抜き処置を実施することを促すと共に実施したことを確認する表示中に、前記リモコンへの操作入力で前記エア抜き処置が確認されると、前記エア抜き処置フラグを記憶するようにした。
【０００７】
また、前記制御装置は、前記加熱循環回路内の水を抜く動作が行われると、前記エア抜き処置フラグの記憶をリセットするようにした。
【発明の効果】
【０００８】
この発明によれば、電源投入時に行われる前記試運転動作で、実行済みの試運転動作をスキップすることで、すばやく通常動作に復帰することができ、使い勝手が良くなるとともに、手動によるエア抜き処置の確認画面を表示することで、確実に施工業者にエア抜き処置を促すことで、前記加熱循環回路内のエア抜きが不十分でエア噛みによる循環不良を確実に防止することができる。
【０００９】
また、前記加熱循環回路内の水を抜く動作が行われると、前記エア抜き処置フラグをリセットするので、前記加熱循環回路内にエアが残留している可能性がある場合には、施工業者にエア抜き処置を促すことができるので、前記加熱循環回路内のエア抜きが不十分でエア噛みによる循環不良を確実に防止することができる。
【図面の簡単な説明】
【００１０】
【図１】この発明の一実施形態を示す概略構成図。
【図２】この発明の各試運転動作のフラグ状態を表すフローチャート。
【図３】第一の実施形態を示すフローチャート。
【発明を実施するための形態】
【００１１】
次にこの発明の一実形態のヒートポンプ式給湯機を図面に基づいて説明する。
１は貯湯タンクユニットで内方には、湯水を貯湯する貯湯タンク２と、該貯湯タンク２の上部に接続された出湯管３と、貯湯タンク２の下部に接続された給水管４と、出湯管３からの高温水と給水管４から分岐された給湯バイパス管５からの低温水とをミキシングする給湯ミキシング弁６と、該給湯ミキシング弁６の下流に接続された給湯管７に設けられた給湯温度センサ８及び給湯フロースイッチ９とが備えられている。
【００１２】
１０はヒートポンプユニットで、圧縮機１１と凝縮器としての水冷媒熱交換器１２と電子式の膨張弁１３と室外ファン１４を有し空気と熱交換する蒸発器としての空気熱交換器１５で構成されたヒートポンプ回路１６と、前記貯湯タンク２内の湯水をヒートポンプ往き管１７及びヒートポンプ戻り管１８から成る加熱循環回路１９を介して水冷媒熱交換器１２に循環させる循環ポンプ２０と、それらの駆動を制御するヒートポンプ制御部２１とを備えており、ヒートポンプ回路１６内には冷媒として二酸化炭素が用いられて超臨界ヒートポンプサイクルを構成しているものである。なお、冷媒に二酸化炭素を用いているので、低温水を電熱ヒータなしで約９０℃の高温まで沸き上げることが可能なものである。
【００１３】
ここで、前記水冷媒熱交換器１２は冷媒と被加熱水たる貯湯タンク２内の湯水とが対向して流れる対向流方式を採用しており、超臨界ヒートポンプサイクルでは熱交換時において冷媒は超臨界状態のまま凝縮されるため効率良く高温まで被加熱水を加熱することができ、被加熱水の水冷媒熱交換器１２入口温度と冷媒の出口温度との温度差が一定になるように前記膨張弁１３または圧縮機１１を制御することで、被加熱水の水冷媒熱交換器１２の入口温度が５〜２０℃程度の低い温度であるとＣＯＰ（エネルギー消費効率）がとても良い状態で被加熱水を加熱することが可能なものである。
【００１４】
又ヒートポンプ往き管１７には、ヒートポンプ配管止水栓２２が備えられ、ヒートポンプ戻り管１８途中には戻しバイパス弁２３が備えられ、凍結防止時には戻しバイパス弁２３を貯湯タンク２下部の給水管４に接続した凍結防止バイパス管２４側の連通に切替ることで、貯湯タンク２内下部を利用した短絡回路の循環として凍結を防止するもので、循環ポンプ２０と戻しバイパス弁２３は貯湯タンクユニット１内に位置するものである。
【００１５】
２５はマイコン等から成る制御装置で、ヒートポンプ制御部２１を制御して加熱循環回路１９による貯湯タンク２の沸き上げや沸き増し等、給湯の温度制御、風呂の湯張りや追い焚き、保温等の制御を行うものであり、又リモコン２６もしくは制御装置２５の基板上に設けられた試運転スイッチ２７の押圧によって、給湯管７の給湯ミキシング弁６を水側１００％開口状態からお湯側１００％状態に切替えて、給湯管７を利用して施工後の貯湯タンク２内のエアを抜きながらの給水を行うものであり、その後引き続いて循環ポンプ２０を駆動して加熱循環回路１９のエア抜き運転を所定時間行った後に、沸き上げ試運転を行い所定温度の沸き上げ目標温度を所定時間継続することで、沸き上げ試運転を終了するものである。
【００１６】
また、この制御装置２５は、所定の切断時間以上（ここでは３０分）電源が喪失しているとマイコンリセットが発生し、後述する試運転動作のエア抜き運転のフラグＦ２と、沸き上げ試運転のフラグＦ３はマイコンリセットでフラグＯＦＦとなり、エア抜き処置のフラグＦ１は施工業者推奨の手動による複雑な操作のため、停電等で所定の切断時間以上電源が切断されてマイコンリセットが起きてもフラグＯＦＦにはならない。
【００１７】
２８は前記制御装置２５内に構成された試運転タイマーで、試運転スイッチ２７の押圧でカウントを開始し、ここでは３０分の所定時間のカウントアップで、制御装置２５を介して給湯ミキシング弁６を元の水側１００％に戻して給湯管７を利用した水張りを終了させるものである。
【００１８】
更に前記リモコン２６には、試運転スイッチ２７の他に、給湯スイッチ２９、給湯設定温度を設定する温度設定スイッチ３０、風呂への湯張りを指示する湯張りスイッチ３１、湯張り量を設定する３２を有し、更にドットマトリクス型の蛍光表示管よりなる表示部３３と、この表示部３３を制御すると共に前記制御装置２５との通信を行うマイコンで構成されたリモコン制御部３４が備えられている。
【００１９】
又前記加熱循環回路１９の水冷媒熱交換器１２の入水側には入水温度センサ３５が備えられ入水温度を検知するものであり、出口側には出口温度センサ３６が備えられて、加熱後の湯水温度を検知するものであり、貯湯タンク２に備えられた該貯湯タンク２内の湯水温度を検知する複数の貯湯温度センサ３７のうち、出口温度センサ３６と最上部の貯湯温度センサ３７のどちらかが沸き上げ目標温度ここでは３０℃を継続して検知することで沸き上げ試運転を終了させるものである。
【００２０】
３８は加熱循環回路１９のエア抜き開始から終了までの時間をカウントすると共に、沸き上げ試運転開始から終了までの時間をカウントする異常運転タイマーで、エア抜き運転を３０分で終了させ、更に当然沸き上げ試運転で沸き上げ目標温度になるはずの所定時間１〜２時間経過しても、目標温度に達しない時には、リモコン２６の表示部３３に「沸き上げ異常」の表示を行わせたり、ブザーでエラー報知させるもので、一方所定時間前に沸き上げ試運転が終了することで、正常状態を示す「沸き上げ終了」の表示や、ブザーで報知するようにするものである。
【００２１】
３９貯湯タンク２頂部に連通し、貯湯タンク２や加熱循環回路１９内のエアが抜ける逃がし弁、４０は給水管４に備えられた減圧弁であり、それより上流側には給水専用止水栓４１が設けられており、４２は貯湯タンク２底部に連通した排水栓、４３は加熱循環回路１９に連通した水抜き栓、４４はヒートポンプ戻り管１８のヒートポンプユニット１０から器具外に出たあたりに備えられた戻り側水抜き栓、４５はヒートポンプ往き管１７の水冷媒熱交換器１２の直前に設けられた熱交水抜き栓である。
【００２２】
次に、水を抜く動作の一つであるヒートポンプ交換モードについて説明する。ヒートポンプ交換モードは、ヒートポンプ配管及びヒートポンプユニット１０の交換等で、貯湯タンクユニット１とヒートポンプユニット１０を繋ぐ加熱循環回路１９内の水を抜く場合に行う。
【００２３】
まず、リモコン３３を操作して、ヒートポンプ交換モードを選択すると、リモコン制御部３４は制御装置２５にヒートポンプの交換を行う旨を送信し、制御装置２５は、戻しバイパス弁２３を貯湯タンク２下部と連通するポートを閉塞する状態にし、ヒートポンプ交換モードを開始すると共にヒートポンプ交換モードを行ったことを記憶する。次に施工業者は、電源を喪失させ、給水専用止水栓４１を閉じて、逃がし弁３９を開く。そして、ヒートポンプ配管止水栓２２を閉じることで、貯湯タンクユニット１とヒートポンプユニット１０を繋ぐ加熱循環回路１９内の水抜きを行ってからヒートポンプ配管及びヒートポンプユニット１０の交換を行う。
【００２４】
また、このヒートポンプ交換モードによるヒートポンプ配管の水抜きが行われ、電源が投入されると以下の試運転動作を行ってから通常動作に移行する。
【００２５】
次に、電源投入時の試運転動作の初回設置時の給水について説明する。
まず、今器具を設置し、給湯回路や給水管４、給湯管７の回路をそれぞれ配管接続した後、電源に接続して、施工業者は、ヒートポンプ往き管１７側に設けられたヒートポンプ配管止水栓２２を開き、逃がし弁４０を開き、給水専用止水栓４１を閉じてゴミ詰まりを確認して、給水専用止水栓４１を開いて、貯湯タンク２内に水を給水し、貯湯タンク２が満水になったら逃がし弁３９を閉めて、給水を完了する。
【００２６】
次に、手動による加熱循環回路１９のエア抜き処置を説明する。
まず、十分にエアが抜けるまで熱交水抜き栓４５を開き、ヒートポンプ往き管１７のエアが抜けたら熱交水抜き栓４５を閉じ、十分にエアが抜けるまで戻り側水抜き栓４４を開くことで、抜いたエアは逃がし弁３９よりエアが抜かれ、水冷媒熱交換器１２とヒートポンプ戻り管１８のエアが抜けたら熱交水抜き栓４５を閉じて、手動による加熱循環回路１９のエア抜き処置を完了する。
【００２７】
次に、制御装置２５による加熱循環回路１９のエア抜き運転を説明する。
まず、試運転スイッチ２７を押圧することで、制御装置２５は、循環ポンプ２０を所定時間（ここでは１０分）駆動させて加熱循環回路１９内に残留したエアを抜くエア抜き運転を開始し、抜いたエアは逃がし弁３９よりエアが抜かれ、所定時間が経過したら加熱循環回路１９のエア抜き運転を完了する。
【００２８】
次に、加熱循環回路１９のエア抜きを完了した後に沸き上げ試運転を行い、貯湯タンク２の全量を沸き上げる全量沸き上げ試運転、もしくは、所定時間沸き上げる所定時間沸き上げ試運転を行い、ヒートポンプの沸き上げ異常が起こるかを確認する。
この沸き上げ試運転動作は、ヒートポンプユニット２１のエア抜きが不十分であった場合、循環ポンプ２０のエア噛みが発生し循環不良となり、ヒートポンプユニット１０で加熱した湯を貯湯タンクに供給できないヒートポンプの沸き上げ異常が発生するため、エア抜き処置及びエア抜き運転を確実に実施しておく必要がある。
【００２９】
次にエア抜き処置のフラグＦ１と、エア抜き運転のフラグＦ２と、沸き上げ試運転のフラグＦ３とのフラグＯＮ及びフラグＯＦＦについて図２のフローチャートに基づいて説明する。
まず、電源投入後、初回設置であるかを確認し（Ｓ１）、初回設置である場合（Ｓ１がＹｅｓ）、試運転動作を行っていないので、エア抜き処置のフラグＦ１、エア抜き運転のフラグＦ２、沸き上げ試運転のフラグＦ３は全てＯＦＦとなる（Ｓ２）。
【００３０】
また、初回設置ではなかった場合（Ｓ１がＮｏ）、次に通常動作後の電源喪失かを確認し（Ｓ３）、Ｓ３がＮｏの場合は、まだ各種試運転を行って通常動作までいっていないということで（Ｓ３がＮｏ）、エア抜き処置のフラグＦ１、エア抜き運転のフラグＦ２、沸き上げ試運転のフラグＦ３は全てＯＦＦとなる（Ｓ２）。
【００３１】
また、Ｓ３がＹｅｓの場合は、試運転を全て行って通常動作になった後に停電や器具の修理、器具の交換で一時的に電源を喪失させたということであり（Ｓ３がＹｅｓ）、次に電源を喪失させていた経過時間を確認する（Ｓ４）。
【００３２】
電源を喪失していた経過時間が３０分以内であった場合は（Ｓ４がＹｅｓ）、次にヒートポンプ内の水を抜く動作であるヒートポンプ水抜きやヒートポンプ配管の交換、ヒートポンプユニットの交換等のためのヒートポンプ交換モードが行われる旨が制御装置２５に送信されていたかを確認する（Ｓ５）。
【００３３】
このとき、電源を喪失していた経過時間が３０分以内で、ヒートポンプ交換モードが行われる旨が制御装置２５に送信されていた場合は（Ｓ５がＹｅｓ）、エア抜き処置のフラグＦ１がＯＮで、エア抜き運転のフラグＦ２、沸き上げ試運転のフラグＦ３がＯＦＦとなる（Ｓ６）。
【００３４】
このように、電源を喪失していた経過時間が３０分以内で、ヒートポンプ交換モードが行われる旨が制御装置２５に送信されていた場合は、器具の修理、器具の交換で加熱循環回路１９内の水を抜いたということであり、ヒートポンプ内のエアを抜く処置を行わなければいけないものと判断でき、確実に施工業者にエア抜き処置を促すことができる。
【００３５】
また、電源を喪失していた経過時間が３０分以内で、ヒートポンプ交換モードが行われる旨が制御装置２５に送信されていない場合は（Ｓ５がＮｏ）、エア抜き処置のフラグＦ１、エア抜き運転のフラグＦ２、沸き上げ試運転のフラグＦ３が全てＯＮとなる（Ｓ７）。
【００３６】
このように、電源を喪失していた経過時間が３０分以内で、ヒートポンプ交換モードが行われる旨が制御装置２５に送信されていない場合は、停電等で短い時間を一時的に電源がＯＦＦになったということであり、電源投入後各試運転動作を省略してすばやく通常動作に復帰することができる。
【００３７】
そして、電源を喪失していた経過時間が３０分以上であった場合は、エア抜き運転のフラグＦ２、沸き上げ試運転のフラグＦ３はマイコンリセットでフラグがＯＦＦとなっていると判断され（Ｓ４がＮｏ）、次にヒートポンプ交換モードが行われる旨が制御装置２５に送信されていたかを確認する（Ｓ８）。
【００３８】
このとき、電源を喪失していた経過時間が３０分以上で、ヒートポンプ交換モードが行われる旨が制御装置２５に送信されていた場合は（Ｓ８がＹｅｓ）、エア抜き処置のフラグＦ１、エア抜き運転のフラグＦ２、沸き上げ試運転のフラグＦ３が全てＯＦＦとなる（Ｓ９）。
【００３９】
このように、電源を喪失していた経過時間が３０分以上で、ヒートポンプ交換モードが行われる旨が制御装置２５に送信されていた場合は、器具の修理、器具の交換で加熱循環回路１９内の水を抜いたということであり、ヒートポンプ内のエアを抜く処置を行わなければいけないものと判断でき、確実に施工業者にエア抜き処置を促すことができる。
【００４０】
また、電源を喪失していた経過時間が３０分以上で、ヒートポンプ交換モードが行われる旨が制御装置２５に送信されていない場合は（Ｓ８がＮｏ）、エア抜き運転のフラグＦ２、沸き上げ試運転のフラグＦ３はマイコンリセットでフラグがＯＦＦとなっていると判断されるので、エア抜き処置のフラグＦ１がＯＮで、エア抜き運転のフラグＦ２、沸き上げ試運転のフラグＦ３がＯＦＦとなる（Ｓ１０）。
【００４１】
このように、電源を喪失していた経過時間が３０分以上で、加熱循環回路１９内の水を抜く動作が行われていない場合は、加熱循環回路１９内のエア抜き処置は十分であるが、マイコンリセットによりエア抜き運転のフラグＦ２、沸き上げ試運転のフラグＦ３がＯＦＦとなっているため、試運転スイッチ２７の操作によるエア抜き運転及び沸き上げ試運転が必要になるが、施工業者推奨の手動による複雑な操作が必要なエア抜き処置をスキップして、通常動作に復帰することができる。
【００４２】
次にこの一実施形態の試運転動作とフラグについて図３のフローチャートに基づいて説明する。
まず、器具を設置し、給湯回路や給水管４、給湯管７の回路をそれぞれ配管接続した後、電源に接続して、電源が投入されると、この電源投入が電源喪失後３０分以上経過してマイコンがリセットされたものなのか、電源切断後３０分以内に再投入されたものなのかを確認する（Ｓ１１）。
【００４３】
電源喪失から３０分以上経過した後に電源が投入されると（Ｓ１１がＹｅｓ）、制御装置２５は、エア抜き処置のフラグＦ１がＯＮであるかを確認し（Ｓ１２）、エア抜き処置のフラグＦ１がＯＦＦである場合は（Ｓ１２がＮｏ）、例えば「手動によるヒートポンプ配管のエア抜き処置を実施しましたか？、はい、もしくは、いいえ」という旨の確認画面の表示をリモコン２６の表示部３３から行い（Ｓ１３）、「はい」のスイッチが操作されたとき（Ｓ１４がＹｅｓ）、エア抜き処置のフラグＦ１をＯＮとして記憶し（Ｓ１５）、試運転スイッチ２７の操作によってエア抜き運転を開始する（Ｓ１６）。
【００４４】
また、エア抜き処置のフラグＦ１がＯＮである場合は（Ｓ１２がＹｅｓ）、エア抜き処置が完了しているということで確認画面の表示をスキップして、試運転スイッチ２７の操作を待ち、試運転スイッチ２７の操作によってエア抜き運転を開始する（Ｓ１６）。
【００４５】
そして、リモコン２６の試運転スイッチ２７の操作によってエア抜き運転が開始されると（Ｓ１６）、循環ポンプ２０が駆動を開始し（Ｓ１７）、所定時間（ここでは１０分）を試運転タイマー２８でカウント開始し、所定時間が経過したことで制御装置２５がエア抜き運転が完了したことを確認すると（Ｓ１８がＹｅｓ）、循環ポンプ２０の駆動を停止し（Ｓ１９）、エア抜き運転のフラグＦ２をＯＮとして記憶する（Ｓ２０）。
【００４６】
そして、エア抜き運転が完了すると、沸き上げ試運転に移行し、貯湯タンク２の全量を沸き上げる全量沸き上げ試運転、もしくは、所定時間沸き上げる所定時間沸き上げ試運転を開始し（Ｓ２１）、ヒートポンプの沸き上げ異常が起こるかを確認する（Ｓ２２）。
【００４７】
沸き上げ試運転に異常が無かった場合（Ｓ２２がＹｅｓ）、沸き上げ試運転のフラグＦ３をＯＮとして記憶し（Ｓ２３）、一連の試運転動作がを完了すると通常動作へ移行する（Ｓ２４）。
【００４８】
また、沸き上げ試運転に異常があった場合は（Ｓ２２がＮｏ）、エア抜き処置のフラグＦ１、エア抜き運転のフラグＦ２、沸き上げ試運転のフラグＦ３の記憶をリセットして、エラー報知を行う（Ｓ２５）。
【００４９】
このように、エア抜き処置及びエア抜き運転を行っていないと、沸き上げ試運転中に加熱循環回路１９内でエア噛みが発生し循環不良となり、エラーが発生してしまう危険があり、特にエア抜き処置は、業者が手動により行うものであり、エア抜き処置忘れによるエラーは、エア抜き処置が実施していない場合のみ確認画面の表示を行うのでエア抜き処置忘れを確実に防止することができると共に煩わしい操作をスキップすることができる。
【００５０】
また、電源喪失から３０分以内に電源が投入されると（Ｓ１１がＮｏ）、エア抜き処置のフラグＦ１がＯＮであるかを確認し（Ｓ２６）、ＯＦＦであった場合は（Ｓ２６がＮＯ）、エア抜き処置が行われておらず、ヒートポンプ配管内にエアが残留している可能性があるので、確実にエア抜き処置を行うためにエア抜き処置の確認画面を表示する（Ｓ１３）。
【００５１】
エア抜き処置のフラグＦ１がＯＮであるかを確認し（Ｓ２６）、ＯＮであった場合は（Ｓ２６がＹｅｓ）、エア抜き処置が完了しているということで、エア抜き処置をスキップして、Ｓ２７へ進む。
【００５２】
次にエア抜き運転のＦ２がＯＮであるかを確認し（Ｓ２７）、ＯＦＦであった場合は（Ｓ２７がＮｏ）、エア抜き運転が行われておらずヒートポンプ配管内にエアが残留している可能性があるので、エア抜き運転を開始する（Ｓ１６）。
【００５３】
また、エア抜き運転のフラグＦ２がＯＮであるかを確認し（Ｓ２７）、ＯＮであった場合は（Ｓ２７がＹｅｓ）、エア抜き運転が完了しているということで、エア抜き運転をスキップして、Ｓ２８へ進む。
【００５４】
次に沸き上げ試運転のＦ３がＯＮであるかを確認し（Ｓ２８）、ＯＦＦであった場合は（Ｓ２８がＮｏ）、エア抜き及びエア抜き運転は行われてヒートポンプ配管内のエアは抜かれているが、沸き上げ試運転は行われていないということで、沸き上げ試運転を開始する（Ｓ２１）。
【００５５】
また、沸き上げ試運転のフラグＦ３がＯＮであるかを確認し（Ｓ２８）、ＯＮであった場合は（Ｓ２８がＹｅｓ）、各試運転動作が完了しているということで、沸き上げ試運転をスキップして、通常動作へ移行する（Ｓ２４）。
【００５６】
このように、停電等で、一時的に電源が喪失していたが、エア抜き処置などの試運転動作を行わなくて良い場合は、エア抜き処置の確認画面の表示や、各種試運転動作をスキップすることができ、煩わしい試運転動作を行わずにすばやく通常動作に復帰させることができる。
【００５７】
また、貯湯タンクユニット１とヒートポンプユニット１０との接続を切断するヒートポンプ配管の交換やヒートポンプユニットの交換、または加熱循環回路１９内の水抜きを行った後にはエア抜き処置フラグＦ１の記憶をリセットすることで、エア抜き処置を行わなければならない場合は、エア抜き処置を促す報知を行って、エア噛みによる循環不良を確実に防止しつつ、実施が必要ないときにはスキップすることができる。
【００５８】
なお、本発明は本実施形態に限定されるものではなく、要旨を変更しない範囲で改変する事を妨げるものではなく、例えば、本発明のヒートポンプ交換及び試運転動作では、各器具を所定の手順で操作しているが、この操作は器具の場所や配管の連結場所によっては手動による操作手順が変わったりするが、本発明のエア抜き処置を確実に完了してエア噛みによる循環不良を確実に防止しつつ、実施が必要ないときにはスキップすることができるという要旨が変更されないのであれば良い。
【００５９】
また、実施形態では水を抜く動作の一例として、ヒートポンプ交換モードが操作されたときにリモコン制御部３４が制御装置２５に送信することでヒートポンプ交換モードを行ったことを記憶しているが、例えば、加熱循環回路１９内の水を抜く水抜き運転が実施された場合に、制御装置２５が水抜き運転の実施を記憶しておくものでも良い。
【符号の説明】
【００６０】
２  貯湯タンク
４  給水管
１９  加熱循環回路
２０  循環ポンプ
２１  ヒートポンプ制御部
２５  制御装置
２６  リモコン
２７  試運転スイッチ
２８  試運転タイマー
３３  表示部
３４  リモコン制御部
３８  異常運転タイマー
【図１】
2020085368.tif 000003
【図２】
2020085368.tif 000004
【図３】
2020085368.tif 000005